Podtech/llm-jp-corpus-v4-ja_patent huggingface dataset:
(57)【要約】      （修正有）【課題】鋳造工法を用いた装身具において、材料厚みがないと強度が十分に得られないという問題点と、そのことによって、強度を得るために材料厚みを大きく取ることが、原材料の使用量が多くなり、コストの高い製品になってしまうという問題を同時に解決する手段を提供する。【解決手段】鋳造工法を用いて製作する装身具において、装身具を構成する材料厚みに対して少なくとも1％以上の山形状部、谷形状部を１箇所以上設けることによって、負荷が大きく与えられても変形しにくい装身具となり、鋳造工法によって柔らかくなってしまう素材でも、その材料厚みを可能な限り削減、薄くすることによって、製品の素材コストを大幅に抑えることができる、実用上全く問題のない強度のある装身具とする。【選択図】図１
2020171389.tif 000002
【特許請求の範囲】
【請求項１】
鋳造工法を用いた装身具において、製品の材料厚みに対して、1％以上の山形状、谷形状を少なくとも1つ以上を製品内に形成させることによって、薄い材料厚みであっても強度を得ることのできる装身具。
【請求項２】
山形状、谷形状部分が曲面である請求項１に記載の装身具。
【発明の詳細な説明】
【技術分野】
【０００１】
この発明は、鋳造工法を使用して作られた装身具において、使用する素材を最小限に抑え軽量化し、かつ、強度も有し、見た目も優れた装身具の構造及び製造方法に関するものである。
【背景技術】
【０００２】
一般的な装身具は、鋳造、プレスなどの工法が主に用いられている。
【０００３】
鋳造は素材を溶解し、鋳型に流し込んで必要な形状を得る工法であり、プレスは板材料を金型で打ち抜いたり、変形させ、必要な形状を得る工法である。
【０００４】
しかし、これらの工法はいくつかの問題点を内包している。
【０００５】
鋳造工法は、装身具となる素材を高温で溶解し、その後に鋳型に溶解した素材を流し込み形状を得るものであるが、溶解された素材はなまし状態であるため、強度に乏しく、薄い製品を製造することができない。
【０００６】
そのため、鋳造工法で作られる製品は、物理的な厚みを持って製造され、結果的に質量が大きくなり、高価な素材を使用する装身具では高コストな製品となってしまっている。
【０００７】
プレス工法は薄い板材料を使用して、素材的には安価な装身具を製造することができる手段であるが、雄雌型によって必要とされる装飾品を板材で成形するためには、大量の材料が必要となるとともに、高価な金型の初期投資も必要となる。
【０００８】
【特許文献１】特開２０１７−２１７１５５に見るような、素材の一部を切除した部材と、別の部材から構成される方法もあるが、問題解決に至っていない。
【０００９】
【特許文献１】特開２０１７−２１７１５５
【発明の概要】
【発明が解決しようとする課題】
【００１０】
この発明は前述した問題点を解決するものであり、素材を可能な限り軽量化し、なおかつ、強度も得られ、デザイン的にも優れた装身具を提供するものである。
【課題を解決するための手段】
【００１１】
以上の課題を解決するため、この発明では、装身具を作るための工法にデザイン型のコストの低い、すなわち初期投資の少ない鋳造工法をもって装身具の製造を行い、軽量化と強度を併せ持った装身具を製造できるようにした。
【００１２】
この発明では、型が比較的簡単に製作できる鋳造工法を採用し、初期コストをできるだけ抑えることにした。
【００１３】
さらに、装身具を軽量化し、素材コストを抑えるともに、物理的強度も得られるよう形状を工夫した。
【発明の効果】
【００１４】
この発明によれば、装身具において、初期コスト、素材コストを可能な限り抑え、なおかつ、強度もあり、見た目の良い装身具を提供することができるようになった。
【図面の簡単な説明】
【００１５】
【図１】この発明の完成図である。
【００１６】
【図２】この発明の横視点図である。
【発明を実施するための形態】
【００１７】
まず最初に、装身具となるデザインを決定する。
【００１８】
次に、デザインに基づき、鋳造工程で使用する原型とゴム型を製作していく。
【００１９】
［実施例１］
今回の実施例では、ネックレス等に使用するペンダントを製作した。
【００２０】
図１は実施例の装身具のペンダント部分の完成図である。
【００２１】
図２は、横方向から見たときの図である。
【００２２】
図１に見える本体１に接続されている部分は丸環であり、本体1に直接接続されている。  
【００２３】
原型製作の段階において、本体１は平らな板状ではなく、製作する板厚みを基準として、1％以上の高低差となる山形状と谷形状を複数箇所製作する。
【００２４】
今回の実施例において、原型は、板厚みを０．２mmとし、山形状部と谷形状部の頂点同士は板部厚みの３倍の０．６mmとなるよう製作した。
【００２５】
製作した原型をもとに、ゴム型と呼ばれる複製型を量産する型を製作し、ワックスを注入したところ、問題なく複製ワックス型を作ることができた。
【００２６】
前記したワックスの複製型を複数製作し、ロストワックスによる鋳造を１８金で行ったところ、１８金の製品を問題なく作ることができた。
【００２７】
この発明と同じ鋳造工法で作られた、今回の発明と同じ大きさ、同じ厚みの完全に平らな板とで強度を比較したところ、山谷形状の直線方向に対して直角に交わる線での強度は、約５倍であった。
【００２８】
同様に山谷形状の直線方向に対して平行な線での強度は、この発明品は約２倍の強度であった。
【００２９】
このように、薄い板厚みでは強度を得られないとされている鋳造工法を使用した装身具であっても、この発明を用いることで、実用的に十分な強度を得られ、可能な限り軽量化することができた。
【産業上の利用可能性】
【００３０】
この発明の装身具は、素材コストを可能な限り低減しながら、実用上問題のない強度を得られ、経済的な装身具を提供することが可能となった。
【符号の説明】
【００３１】
１  本体
２  丸環
１０  全体図
２０  全体図横視
【図１】
2020171389.tif 000003
【図２】
2020171389.tif 000004
(57)【要約】      （修正有）【課題】鋳造工法を用いた装身具の提供。【解決手段】鋳造工法を用いて製作する装身具において、装身具を構成する材料厚みに対して少なくとも1％以上の山形状部、谷形状部を１箇所以上設け、さらに、山形状部と谷形状部の直線、あるいは曲線に交わる痕線を少なくとも１箇所以上形成することによって、見栄えの良いさまざまな表面装飾をすることが可能になり、負荷にも耐えられ、鋳造工法によって柔らかくなってしまう素材でも、その材料厚みを可能な限り削減、薄くすることによって、製品の素材コストと製造コストを大幅に抑えることができる装身具とする。【選択図】図１
2020171440.tif 000002
【特許請求の範囲】
【請求項１】
鋳造工法を用いた装身具において、製品の材料厚みに対して、1％以上の山形状、谷形状を少なくとも1つ以上を製品内に形成させ、山形状部と谷形状部の直線、あるいは曲線にに交わる痕線を少なくとも１つ以上形成することによってなる、表面装飾の整った、薄い材料厚みであっても強度を得ることのできる装身具。
【請求項２】
山形状部、谷形状部分が曲面である請求項１に記載の装身具。
【請求項３】
山形状部と谷形状部の直線、あるいは曲線にに交わる痕線がレーザーによって形成された請求項１に記載の装身具。
【発明の詳細な説明】
【技術分野】
【０００１】
この発明は、身に着ける装身具において、その装飾性を高める構造及び製造方法に関するものである。
【背景技術】
【０００２】
一般的な装身具は、鋳造、プレスなどの工法が主に用いられ、その表面の装飾は、完全に鏡面に仕上げたり、工具を使用して表面装飾を加えたりしている。
【０００３】
装飾品の表面を鏡面に仕上げる場合には、主にバファーと呼ばれる回転布に研磨剤を塗布し、そこに装飾品をあてて表面の研磨を施している。
【０００４】
また、表面を曇り仕様に仕上げる場合には、サンドブラスターや紙ヤスリ、あるいは金属製の工具等を使用して、何等かの装飾を施している。
【０００５】
これら以外では、比較的大型の装置を用いて、刃物などで装身具の表面に装飾を施す方法も広く認知されている。
【０００６】
バファーやサンドブラスターを使用する表面装飾方法は、装飾面が単一になりがちである。
【０００７】
大型の装置を用いる表面装飾には、回転する刃物で切削を行うので、使用する素材量が多くなってしまったり、切削後の屑回収に問題が起こり得るものである。
【０００８】
【特許文献１】特開２０１０−８３１１４に見るような、ダイヤモンドカッターと呼ばれる装置を用いた表面装飾の方法は、非常に完成度の高い表面装飾を施すことが可能であるが、使用する装置が高額な上、使用する素材の厚み、重量を多く必要とし、やはり切削屑の回収問題も併せ持っていることから、幅広く浸透はしていない。
【０００９】
【特許文献１】特開２０１７−２１７１５５
【発明の概要】
【発明が解決しようとする課題】
【００１０】
この発明は前述した問題点を解決するものであり、使用する素材を可能な限り薄く、軽量に、なおかつ、強度もあり、低コストで製造することができ、デザイン的にも優れた表面装飾を持つ装身具を提供するものである。
【課題を解決するための手段】
【００１１】
以上の課題を解決するため、この発明では、装身具を作るための工法にデザイン型のコストの低い、すなわち初期投資の少ない鋳造工法をもって装身具の製造を行い、整った装飾表面と軽量化、強度を併せ持った装身具を製造できるようにした。
【００１２】
この発明では、デザイン型が比較的簡単に製作できる鋳造工法を採用し、初期コストをできるだけ抑えることにした。
【００１３】
さらに、装身具を軽量化し、素材コストを抑えるともに、物理的強度も得られるよう形状を工夫し、表面の装飾もできるだけ簡素化しながらも、きれいな装飾となるようした。
【発明の効果】
【００１４】
この発明によれば、装身具において、初期コスト、素材コストを可能な限り抑え、なおかつ、強度もあり、表面装飾も整った装身具を提供することができるようになった。
【図面の簡単な説明】
【００１５】
【図１】この発明の完成図である。
【００１６】
【図２】この発明の横視点図である。
【発明を実施するための形態】
【００１７】
まず最初に、装身具となるデザインの装飾を決定する。
【００１８】
次に、デザインに基づき、鋳造工程で使用する原型とゴム型を製作していく。
【００１９】
［実施例１］
今回の実施例では、ネックレス等に使用するペンダントを製作した。
【００２０】
図１は実施例の装身具のペンダント部分の完成図である。
【００２１】
図２は、横方向から見たときの図である。
【００２２】
図１に見える本体１に接続されている部分は丸環であり、本体1に直接接続されている。  
【００２３】
原型製作の段階において、本体１は平らな板状ではなく、製作する板厚みを基準として、1％以上の高低差となる山形状と谷形状を複数箇所製作した。
【００２４】
今回の実施例において、原型は、板厚みを０．２mmとし、山形状部と谷形状部の頂点同士は板部厚みの３倍の０．６mmとなるよう製作した。
【００２５】
次に原型として出来上がった山形状部と谷形状部を併せ持つ板に、山形状部と谷形状の直線あるいは曲線に対して交わる痕線を、少なくとも1本以上、深さもしくは高さとして形成し、原型とする。
【００２６】
今回の実施例では、０．０５ｍｍの深さの溝を表面装飾痕として、５ｍｍの中に３０本程度を形成した。
【００２７】
また、０．０５ｍｍの深さの溝は、０．２ｍｍ程度の間隔で入れる箇所、１ｍｍの間隔で入れる箇所という具合に、分散させて形成した。
【００２８】
製作した原型をもとに、ゴム型と呼ばれる複製型を量産する型を製作し、ワックスを注入したところ、問題なく複製ワックス型を作ることができた。
【００２９】
前記したワックスの複製型を複数製作し、ロストワックスによる鋳造を１８金で行ったところ、１８金の製品を問題なく作ることができた。
【００３０】
鋳造工法で出来上がった実施例の製品は、山形状部、谷形状部、溝入れ部の、それぞれの光の反射方向が異なるので、大変見栄えのする製品となった。
【００３１】
また、今回の実施品と、ほぼ同じ形状の平らな板とで強度を比較したところ、山谷形状の直線方向に対して直角に交わる線での強度は、約５倍であった。
【００３２】
同様に山谷形状の直線方向に対して平行な線での強度は、この発明品は約２倍の強度であった。
【００３３】
このように、薄い板厚みでは表面装飾が難しいとされ、強度も得られないとされている鋳造工法を使用した装身具であっても、この発明を用いることで、実用的に十分な強度を得られ、可能な限り軽量化でき、見栄えの良い表面装飾を持つ装身具を製作することができた。
【産業上の利用可能性】
【００３４】
この発明の装身具は、素材コストを可能な限り低減しながら、実用上問題のない強度を得られ、なおかつ見栄えの良い装身具を提供することが可能となった。
【符号の説明】
【００３５】
１  本体
２  丸環
３  表面装飾痕
１０  全体図
２０  全体図横視
【図１】
2020171440.tif 000003
【図２】
2020171440.tif 000004
(57)【要約】【課題】従来のワインセラーを設置する場合に比べて、費用と設置スペースを大幅に抑えることができる、保温容器を提供することを課題とする。【解決手段】  本発明は、二重の保温容器となる外容器（１）および内容器（２）と、電子回路筐体（７）を備える。電子回路筐体（７）の内部には、発熱素子（４）と、サーモスイッチ（６）と、バッテリー（５）を備える。好適には、サーモスイッチ（６）は、保温容器内部の温度が１０℃未満となると、電子回路を閉じて、発熱素子（４）から熱が供給される。一方、サーモスイッチ（６）は、保温容器内部の温度が１４℃以上となると、回路を開いて、発熱素子（４）からの発熱を止める。【選択図】  図１
2020171442.tif 000002
【特許請求の範囲】
【請求項１】
断熱層と、
電子回路と、
を少なくとも有する保温容器であって、
前記電子回路は、
発熱素子と、
バッテリーと、
容器内部が所定の温度領域になるよう前記電子回路を開閉する温度制御手段と、
を備えたことを特徴とする、保温容器。
【請求項２】
請求項１に記載の保温容器において、
当該保温容器は、冷蔵庫の庫内にて用いられ、
前記温度制御手段は、
保温容器内部の温度が１０℃未満となると電子回路を閉じ、一方、保温容器内部の温度が１４℃以上となると回路を開くことによって、前記発熱素子からの発熱を制御して、保温容器内部の温度を１０℃以上１４℃未満に保つことを特徴とする、二重容器。
【発明の詳細な説明】
【技術分野】
【０００１】
本発明は、二重容器に関する。
【背景技術】
【０００２】
従来、ワインを適切な温度や湿度に保つワインセラーが開発され、商品化されている。
【０００３】
例えば、特許文献１では、霜取り運転機能付きのワインセラーであって、冷却器の近傍に配置され冷却器周辺温度を検知する霜取り温度センサーと、前記冷却器に付着した霜を溶かすために冷却器周辺温度を上昇させる加温ヒーターと、所定のタイミングに達した場合にコンプレッサーを停止するとともに霜取り温度センサーにより検知された冷却器周辺温度をチェックし、当該冷却器周辺温度に基づいて加温ヒーターを起動するか否かを判断する制御回路と、を備える構成が開示されている。
【先行技術文献】
【特許文献】
【０００４】
【特許文献１】特許第６３４７０７６号
【発明の概要】
【発明が解決しようとする課題】
【０００５】
しかしながら、特許文献１のワインセラーに代表されるように、従来のワインセラーは、少なくとも小型の冷蔵庫ほどの設置スペースと設置費用を必要とする、という問題点を有していた。
【０００６】
本発明は上記の問題点に鑑みてなされたものであり、従来のワインセラーの設置スペースと設置コストを大幅に抑えることができる、保温容器を提供するものである。
【課題を解決するための手段】
【０００７】
このような目的を達成するため、本発明の保温容器は、断熱層と、電子回路と、を少なくとも有する保温容器であって、前記電子回路は、発熱素子と、バッテリーと、容器内部が所定の温度領域になるよう前記電子回路を開閉する温度制御手段と、を備えたことを特徴とする。
【０００８】
また、本発明の保温容器は、上記の保温容器において、当該保温容器は、冷蔵庫の庫内にて用いられ、前記温度制御手段は、保温容器内部の温度が１０℃未満となると電子回路を閉じ、一方、保温容器内部の温度が１４℃以上となると回路を開くことによって、前記発熱素子からの発熱を制御して、保温容器内部の温度を１０℃以上１４℃未満に保つことを特徴とする。
【発明の効果】
【０００９】
本発明によれば、従来のワインセラーを設置する場合に比べて、費用と設置スペースを大幅に抑えることができる、という効果を奏する。
【図面の簡単な説明】
【００１０】
【図１】図１は、本実施の形態の保温容器の構成を示す図である。
【発明を実施するための形態】
【００１１】
以下、この発明の一実施形態としての保温容器の実施の形態を図面に基づいて説明する。なお、この実施の形態により本発明が限定されるものではない。
【００１２】
本実施の形態の保温容器は、図１に示すように、内容器２および外容器１を有する二重容器として構成されている。ここで、内容器２と外容器１の間の空間が断熱層として機能する。
【００１３】
内容器２は、飲料ボトルを入れる筒状体である。好適には、図示のごとくワインボトルが入る形状である。外容器１は、内容器２と共に断熱用空間を形成する筒状体とされている。ここで、本実施の形態において、断熱用空間は、真空となっていてもよい。また、断熱用空間には、発泡スチロール等が充填されることにより、断熱層として機能するものであってもよい。
【００１４】
本実施の形態において、内容器２及び外容器１の素材は、金属であっても、プラスチックであっても、ガラス等であってもよい。
【００１５】
また、本実施の形態において、内容器２及び外容器１の底部には、電子筐体７を接続することができる。好適には、図示のごとく、電子筐体７の上に、ワインボトル３を載置した後、一体として形成された内容器２及び外容器１を上からかぶせてネジ式に捻ることにより、内容器２及び外容器１と、底部の電子筐体７とを、接続するものであってもよい。
【００１６】
ここで、電子筐体７の内部には、発熱素子４と、サーモスタット６と、バッテリー５とを備える。サーモスタット６は、容器内部が所定の温度領域になるよう電子回路を開閉する温度制御手段である。なお、これに限られず、温度制御手段は、サーミスタ等を用いてもよい。
【００１７】
内容物がワインボトルである場合、好適には、サーモスタット６は、保温容器内部の温度が１０℃未満となると電子回路を閉じ、一方、保温容器内部の温度が１４℃以上となると回路を開く。これにより、発熱素子４からの発熱を制御して、保温容器内部の温度を１０℃以上１４℃未満に保つことができる。
【００１８】
以上で、本実施の形態の保温容器の説明を終える。
【００１９】
更に、保温容器等の装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００２０】
以上詳述に説明したように、本発明によれば、内容物の温度が熱過ぎたり冷た過ぎたりした場合に、すみやかに所定の温度域に導くことができる、二重容器、および、当該二重容器の製造方法を提供することができる。
【符号の説明】
【００２１】
１  外容器
２  内容器
３  内容物（ワインボトル等）
４  発熱素子
５  サーモスタット
６  バッテリー
７  電子筐体
【図１】
2020171442.tif 000003
(57)【要約】【課題】本発明は、肩甲骨の内転を意識して胸を張った状態で重りを上下させることにより、胸部へ十分な負荷を与えることができ、更に、肩への負荷集中による怪我のリスクを低減することができる肩甲骨内転パッドである。【解決手段】本発明に係る器具は、高反発性を有した芯材と、芯材を覆う低反発性を有した素材と、表面を覆う厚手のビニール材と、表面を結合する素材とを備えた肩甲骨内転パッドである。【選択図】図１
2020171640.tif 000002
【特許請求の範囲】
【請求項１】
本発明に係る器具は、高反発性を有した芯材と、芯材を覆う低反発性を有した素材と、表面を覆う厚手のビニール材と、低面を結合する素材とを備えた肩甲骨内転パッドである。
【発明の詳細な説明】
【技術分野】
【０００１】  本発明は、仰臥位で胸部のトレーニングを行う際に肩甲骨を内転させる肩甲骨内転パッドに関する。
【背景技術】
【０００２】  仰臥位での胸部トレーニングでは、重りを上下させる方法が主である。【０００３】  このトレーニングの際に、肩甲骨の内転を保持し、胸を張った状態で重りを上下させることにより、胸部へ十分な負荷を与えることができる。【０００４】  ただし、高負荷のトレーニングになると、肩甲骨を内転させる意識の保持が難しくなることや、肩甲骨を内転させた姿勢を維持することが難しくなる。【０００５】  結果的に、胸部への負荷が不十分となることや、肩への負荷集中による怪我のリスクが高まる。
【発明の概要】
【発明が解決しようとする課題】
【０００６】  本発明は、上記問題を解決するためになされたものであり、胸部トレーニングの効果を増進することを目的とした、高反発性を有した芯材と、芯材を覆う低反発性を有した素材と、表面を覆う厚手のビニール材と、表面を結合する素材とを備えた、従来なかった肩甲骨内転パッドを提供する。
【課題を解決するための手段】
【０００７】  本発明に係る器具は、高反発性を有した芯材と、芯材を覆う低反発性を有した素材と、表面を覆う厚手のビニール材と、表面を結合する素材とを備えた肩甲骨内転パッドである。
【発明の効果】
【０００８】  高反発ウレタンと低反発ウレタンで土台を成形することにより、脊椎への負担を軽減する。
また、表面を厚手のビニール材で覆うことにより、接地面同士の滑りを抑制する。【０００９】  素材自体に柔軟性があるため、背中が宙に浮くことなく床、もしくは台と接着する。
同時に反発性も備えているため、素材が潰れきってしまうことなく、安定した姿勢で肩甲骨の内転が自然に行える。
【図面の簡単な説明】
【００１０】
【図１】本発明の一実施形態におけるトレーニング器具の断面図である。
【図２】従来の大胸筋を鍛える一連の運動を説明した図である。
【図３】本発明のトレーニング器具を用いて、大胸筋を鍛える一連の運動を説明した図である。
【発明を実施するための形態】
【００１１】  以下、本発明の実施形態を図面に基づいて詳細に説明する。
なお、本発明は、以下の実施形態に限定されるものではない。また、本発明の効果を奏する範囲を逸脱しない範囲で、適宜変更は可能である。
【００１２】  図１は、本発明の一実施形態におけるトレーニング器具１の断面図である。
【００１３】  図１の１１は、高反発性を有した素材で構成されており、脊椎への負担を軽減すると共に高重量によって素材が潰れ切ってしまうことを防ぐ役目をもつ。
図１の１２は、低反発性を有した素材で構成されており、脊椎への負荷を軽減すると共に形状を柔軟に変化させる役目をもつ。
図１の１３は、滑り抑止性を有した素材で構成されており、接地面同士の滑りを抑制することで、トレーニング時の体制を安定させる役目をもつ。
【００１４】  次に、図２〜３を参照しながら、本実施形態におけるトレーニング器具１を用いて、大胸筋を鍛えるトレーニングを説明する。
なお、図２は、比較として、トレーニング器具１を用いずに、大胸筋を鍛えるトレーニングを説明した図である。
【００１５】  図２は、ベンチプレスを用いた大胸筋を鍛える一連の運動を説明した図である。
【００１６】  大胸筋を鍛える代表的な方法には、図２に示すように、両腕で重りを持ち上げ、両腕を上下する２０と２１の動作を繰り返し行うことによって、大胸筋を収縮させる運動を行うことが有効である。
【００１７】  しかしながら、肩甲骨の内転が不十分であると、（ａ）の稼働距離が短くなることで、ターゲットである（ｂ）を効率的に収縮させることができない。
【００１８】  図３は、本実施形態におけるトレーニング器具１を用いて、ベンチプレスを用いた大胸筋を鍛える一連の運動を説明した図である。
【００１９】  図３の３０の（ｃ）に示すように、脊椎にトレーニング器具１を添わせることにより、肩甲骨が自然と内転する。
また、反発性も備えているため、素材が潰れきってしまうことなく、安定した姿勢を維持することができる。
これにより、図３の３０と３１の動作を繰り返し行う際に、（ｄ）の稼働距離が長くなることで、ターゲットである（ｅ）を効率的に収縮させることが可能となる。
【図１】
2020171640.tif 000003
【図２】
2020171640.tif 000004
【図３】
2020171640.tif 000005
(57)【要約】【課題】  ベンチプレスにおいては、ベンチやバーベルなどの大掛かりな装置が必要で、手軽に高負荷トレーニングできるものではなかった。  腕立て伏せにおいては、自重でトレーニングできるため大掛かりな装置が必要ないが、自分の体重以下の負荷しか大胸筋に掛ける事しかできず本格的に筋肥大を望むには物足りない。高負荷でのトレーニングは望むべくもない。【解決手段】  フレーム（１）の一端に、重り（５）を乗せる力点（２）を設け、フレームの他端に腰付近に当たる作用点（３）を設け、それらの間に肩付近に引っかかる支点（４）を設ける。本発明は以上の構成よりなる、てこ式腕立て伏せ負荷増大装置である。【選択図】図１
2020171642.tif 000002
【特許請求の範囲】
【請求項１】
フレーム（１）の一端に、重り（５）を乗せる力点（２）を設け、フレーム（１）の他端に腰付近に当たる作用点（３）を設け、それらの間に肩付近に引っかかる支点（４）を設ける。本発明は以上の構成よりなる、てこ式腕立て伏せ負荷増大装置である。
【発明の詳細な説明】
【技術分野】
【０００１】  この発明は、腕立て伏せでの負荷を増大する装置に関するものである。
【背景技術】
【０００２】  従来、大胸筋のトレーニングとして腕立て伏せや、ベンチプレスが行われている。
【先行技術文献】
【０００３】
【特許文献１】特開２００２−１２６１２３
【発明の概要】
【発明が解決しようとする課題】
【０００４】  ベンチプレスにおいては、ベンチやバーベルなどの大掛かりな装置が必要で、使用しないときもかなりの占有スペースが必要である。また、大胸筋に大きな負荷をかけるには、高重量の重りを用意しなければならず、手軽に高負荷トレーニングできるものではなかった。【０００５】  腕立て伏せにおいては、自重でトレーニングできるため大掛かりな装置は必要ないが、自分の体重以下の負荷しか大胸筋に掛けられず、本格的に筋肥大を望むには物足りない。特開２００２−１２６１２３のように、重りを背中に背負って腕立てを実施することも考えられるが、体重を含めた負荷は、腕と足とに案分されるので、背負った重りがすべて負荷になるわけではなく、より重い重りが必要で非効率。さらに、背中に背負った重りのために腰にかかる負担も相当あり、高負荷でのトレーニングは望むべくもない。
【課題を解決するための手段】
【０００６】  フレーム（１）の一端に、重り（５）を乗せる力点（２）を設け、フレームの他端に腰付近に当たる作用点（３）を設け、それらの間に肩付近に引っかかる支点（４）を設ける。本発明は以上の構成よりなる、てこ式腕立て伏せ負荷増大装置である。
【発明の効果】
【０００７】  本発明を床などに置き、力点（２）に重り（５）を乗せ、頭頂部方向を力点（２）に向けて、腕を曲げて支点（４）を肩付近に引っ掛けた状態で、フレーム（１）に覆いかぶさるように腕立て伏せの姿勢をとる。【０００８】  腕を伸ばすと、力点（２）が床から離れ、力点（２）の反作用として腰部付近の作用点（３）では上向きの力が働く。【０００９】  このため、足に案分されていた体重が少なくなる。すなわち力点（２）に乗せた重り（５）の重量に加えて作用点（３）で打ち消された体重分をトレーニングの負荷とすることができる。【００１０】  しかも本発明を利用しない場合の腕立て伏せより、腰の負担もなくなり、腰を痛める恐れがない。【００１１】  加えて、乗せた重り（５）より大きな負荷を得ることができるので、ベンチプレスに比べて高重量の重りを用意する必要がない。
このように、本発明によれば、大掛かりな装置や大量の重りを用意しなくても、手軽に大きな負荷の大胸筋トレーニングをすることができる。
【図面の簡単な説明】
【００１２】
【図１】  本発明の側面図で、腕を伸ばした状態である。
【図２】  本発明の側面図で、腕を曲げた状態である。
【図３】  本発明の第２の実施例である。
【図４】  本発明の第３の実施例である。
【発明を実施するための形態】
【００１３】  以下、本発明を実施するための形態について説明する。
フレーム（１）の一端に、重り（５）を乗せる力点（２）を設け、フレーム（１）の他端に腰付近に当たる作用点（３）を設け、それらの間に肩付近に引っかかる支点（４）を設ける。本発明は以上のような構造である。
【００１４】  本発明を使用するときは、本発明を床などに置き、力点（２）に重り（５）を乗せ、頭頂部方向を力点（２）に向けて、腕を曲げて支点（４）を肩付近に引っ掛けた状態で、フレーム（１）に覆いかぶさるように腕立て伏せの姿勢をとる。
【００１５】  腕を伸ばすと、力点（２）が床から離れ、力点（２）の反作用として腰部付近の作用点（３）では上向きの力が働く。
【００１６】  このため、足に案分されていた体重が少なくなる。すなわち力点（２）に乗せた重り（５）の重量に加えて作用点（３）で打ち消された体重分をトレーニングの負荷とすることができる。
【００１７】  しかも本発明を利用しない場合の腕立て伏せよりも、腰の負担もなくなり、腰を痛める恐れがない。
【００１８】  加えて、乗せた重り（５）より大きな負荷を得ることができるので、ベンチプレスに比べて高重量の重りを用意する必要がない。
【００１９】  図３は本発明の第２の実施例である。支点（４）の上に重り（５）を乗せる台を設けたものである。このような構成によれば、よりたくさんの重りを乗せることができ、より本格的に負荷をかけることができる。
【００２０】  図４は本発明の第３の実施例である。支点（４）を肩に回せるベルト状に構成したものである。この構成によれば、使用しないときはよりコンパクトに収納することができる。
【００２１】  なお、すべての実施例で重り（５）としてバーベルプレートを図面では用いているが、これに限るものではなく、水を入れたポリタンクや砂袋など、より簡単なものでももちろん良い。
【符号の説明】
【００２２】    １  フレーム
２  力点
３  作用点
４  支点
５  重り
【図１】
2020171642.tif 000003
【図２】
2020171642.tif 000004
【図３】
2020171642.tif 000005
【図４】
2020171642.tif 000006
(57)【要約】【課題】  ターンバックル６により３つの支点３，４，５で一対のステップ台２の上下動を可変できるバランスとストレッチの運動具。【解決手段】  本発明は、中央支点３に蝶番型台座１と一対のステップ台２とを回転可能に結合し、蝶番型台座１の内側には左支点４及び右支点５を設け、それぞれにシャフトを通し、その中央にターンバックル６を連結する。この３つの支点においてターンバックル６を伸縮させてると中央支点３は一対のステップ台２と共に自在に上下に移動する。蝶番型台座１をせりあげ頂点に達しても、その脚はゆるぎなく、またストッパーとしても平面で受け止めるので足元は安定する。ターンバックル６はいかなる状況でもほぐれることはない。蝶番型台座１を水平にすれば図２に示すようにコンパクトになり収納や持ち運びに便利である。【選択図】図１
2020171643.tif 000002
【特許請求の範囲】
【請求項１】
２枚の板を中央支点（３）により回転可能に接続した蝶番型台座（１）と、前記蝶番型台座（１）の上部に回転可能に設けた一対のステップ台（２）と、前記蝶番型台座（１）の２枚の板の間に設けたターンバックル（６）とから構成され、前記ターンバックル（６）により前記一対のステップ台（２）を上下に可変させることを特徴とするバランスとストレッチの運動具。
【発明の詳細な説明】
【技術分野】
【０００１】  本発明は、一対のステップ台により身体のバランス感覚及び足のストレッチ運動を取り込もうとするバランスとストレッチの運動具に関するものである。
【背景技術】
【０００２】  シーソー型の台上のおいて、従来ステップ台を棒状金物に固定したり、上下動を持たせるため、くさび状のものや高さ調整棒等の支柱を使い、それらをずらすことによって高さを調整していた。
それ故、上下動には円滑性及び伸縮性を欠き、可動範囲も僅少であった。
【先行技術文献】
【０００３】
【特許文献】
【特許文献】特開平１０−２７７１０８号広報
【発明の概要】
【発明が解決しようとする課題】
【０００４】  従来の上下動を担う支柱に代わって、台座自身にその機能を持たせステップ台を足関節の可動域限度を超えるまで可動範囲を拡充する。簡略にして合理的、かつスムーズに上下に可変させる方策が求められる。
【課題を解決するための手段】
【０００５】  本発明は、バランスとストレッチの運動具である。蝶番型台座１の中央と、一対のステップ台２の中央をシャフトで結合して中央支点３とし、蝶番型台座１の内側には２つの支点４及び５を設け、それぞれにシャフトを通しその中央にターンバックル６を連結する。この３つの支点においてターンバックル６の伸縮により中央支点３は自在に上下動し、水平から足関節の可動域限度をこえるまで達することができる。
【発明の効果】
【０００６】  上述のように、本発明のバランスとストレッチの運動具１０に備えた一対のステップ台２は上下動の可動域が従来に比べ格段に伸びたので自由度が増し、バラエティーに富んだ運動を導き出せる。中央支点３のシャフト上はフリーの状態であり、ステップ台２の上で左右の足や片足立ちで身体のバランス感覚を取り込め、また、ストレッチ運動は左右揃えて前後傾したり、足踏みをするが如くステップすれば筋肉をほぐし、足関節の強化増進に向かう。運動中、中腰やひねりを加えれば更に効果が高まる。椅子に座ったままの高齢者からアスリートに至るまで万人に使用可能である。蝶番型台座１を水平にすれば、図２に示すようにコンパクトになり収納や持ち運びに便利である。
【図面の簡単な説明】
【０００７】
【図１】本発明の正面図である。
【図２】本発明を折りたたんだ状態の正面図である。
【図３】本発明の平面図である。
【図４】本発明の底面図である。
【図５】使用時の展開参考図である。
【発明を実施するための形態】
【０００８】  以下、添付図面に従って実施例を説明する。図１〜４に示すようにバランスとストレッチの運動具１０の構成は以下の通りである。１は開閉自在の脚となる蝶番型台座である。２は足を乗せるための一対のステップ台で左ステップ台２１と右ステップ台２２から構成される。３は蝶番型台座１と一対のステップ台２とを回転可能にシャフトで結合した中央支点である。４はシャフトを備えた左支点で、同じく５は右支点である。６は伸縮自在のターンバックルで、図１と図４に示すように４及び５の各支点のシャフトの中央に連結する。
【０００９】  ターンバックル６を伸縮させることにより中央支点３は足関節の可動域限度をこえるまで上方へせりあがり、頂点に達しても脚自身は揺らぐことはない。
また下方へは図２に示すように水平になるまで降下する。高さを確定したターンバックル６はいかなる位置に留め置こうともほぐれることはない。
使用中バランスを失った場合には蝶番型台座１はストッパー役にもなり、どの角度においても平面で受け止めるので足元は安定する。
【符号の説明】
【００１０】  １  蝶番型台座
２  一対のステップ台
３  中央支点
４  左支点
５  右支点
６  ターンバックル
１０  バランスとストレッチの運動具
２１  左ステップ台
２２  右ステップ台
【図１】
2020171643.tif 000003
【図２】
2020171643.tif 000004
【図３】
2020171643.tif 000005
【図４】
2020171643.tif 000006
【図５】
2020171643.tif 000007
(57)【要約】【課題】既存の鞄に細工又加工も必要なく磁石を利用した鞄底空間保持具を提供する。【解決手段】2020171650.tif 000006部材に磁石を貼着した基板を単独で設け、弾力性素材キャツプ平面部に鋼板を固定した鋼板付キャツプを設け、鋼板付キャツプを鞄底の磁石部に接触装着させ、キャツプの高さを利用し床との空間を設け、キャツプの不使用時は鞄上部に挟んだダブルクリップの磁石に収納できる構造としたことを特徴とする鞄底保護キャツプ。【選択図】図３
2020171650.tif 000002
【特許請求の範囲】
【請求項１】
2020171650.tif 000005
部材に磁石を貼着した基板を単独で設け、弾力性素材キャップ平面部に鋼板を固定した鋼板付きキャップを単独で設け、鞄底外側から鋼板付きキャップを鞄底の磁石部に接触装着させキャップの高さを利用し床との空間を設け、キャップの不使用時は鞄上部に挟み装着したダブルクリップの磁石に接触させ収納できる構造としたことを特徴とする鞄底保護キャップ。
【発明の詳細な説明】
【技術分野】
【０００１】本発明は、鞄を下（床、地面）に置くとき鞄の底面と下との接触を防ぐ鞄に関するものである。
【背景技術】
【０００２】従来、鞄を直に下に置いていた。
【発明の概要】
【発明が解決しようとする課題】
【０００３】そのため、次のような問題点があった。
（イ）鞄を直に床、地面に置くことに不衛生で抵抗があった。
本発明は、これらの問題点を解決するためになされたものである。
【課題を解決するための手段】
【０００４】
2020171650.tif 000003
部材に磁石を貼着した基板を単独で設け、弾力性素材キャツプ平面部に鋼板を固定した鋼板付キャツプを設け、鋼板付キャツプを鞄底の磁石部に接触装着させ、キャツプの高さを利用し床との空間を設け、キャツプの不使用時は鞄上部に挟んだダブルクリップの磁石に収納できる。キャツプは長さのある鋼板に複数設けると鞄を置いたとき安定する。
以上を特徴とする鞄底保護キャツプである。
【発明の効果】
【０００５】既存の鞄に細工又加工も必要ない。不使用時は鞄の上部に挟んだ紐で連結されたダブルクリップの磁石に接着収納できる
【図面の簡単な説明】
【０００６】
【図１】本発明の基板図の斜視図である。
【図２】本発明の鋼板付キャツプの斜視図である。
【図３】ダブルクリップと紐で繋がった鋼板付キャツプを鞄底外側から鞄内に納めた基板の磁石に接触装着した例を示す側面図である。
【図４】市販のダブルクリップに磁石を固定した正面図である。
【図５】鋼板を介し一体としたダブルキャップとダブルクリップを紐で繋いだ使用例を示す図である。
【発明を実施するための形態】
【０００７】以下、本発明の実施の形態について説明する。
2020171650.tif 000004
部材に磁石を貼着した基板を単独で設け、弾力性素材キャツプ平面部に鋼板を固定した鋼板付キャツプを設け、鋼板付キャツプを鞄底の磁石部に接触装着させ、キャツプの高さを利用し床との空間を設け、キャツプの不使用時は鞄上部に挟んだダブルクリップの磁石に収納できる構造としたことを特徴とする鞄底保護キャツプ。
キャツプは、長さのある鋼板に複数設けると鞄を下に置いたとき安定する。
本発明は以上のような構成である。
これを使用するときは、基板を鞄の内側底に収めダブルクリップを鞄の持手又縁に挟み紐で繋がったキャツプを鞄の下側から磁石部に接触装着する。キャツプを使用しないときはキャツプをダブルクリップの磁石に接触装着収納できる。
【符号の説明】
【０００８】１  基板
２  磁石
３  キャツプ
４  鋼板
５  紐通し穴
６  紐
７  ダブルクリップ
８  鞄
【図１】
2020171650.tif 000007
【図２】
2020171650.tif 000008
【図３】
2020171650.tif 000009
【図４】
2020171650.tif 000010
【図５】
2020171650.tif 000011
(57)【要約】【課題】  ベットマット、布団を汚れから守るディスポシーツが動いてしまうことを防ぐためにずれないディスポシーツを提供する。【解決手段】  ディスポシーツのベース部分である防水シート部分の大きさを横方向へ長く大きくし、ベットマットや布団の下に巻き込めるようにし、さらに大きくしたベースの防水シート両端に穴をあけ、フックで引き寄せてずれて動かないようにできることを特徴とする。【選択図】図２
2020171644.tif 000002
【特許請求の範囲】
【請求項１】
ディスポシーツの形状が横方向に大きくなっている形状のずれないディスポシーツ。
【請求項２】
ディスポシーツ両端に穴をあけたずれないディスポシーツ。
【請求項３】
ディスポシーツ両端にあけた穴を使ったフック付きゴムロープでの固定ができるずれないディスポシーツ。
【発明の詳細な説明】
【技術分野】
【０００１】  この発明は、ベットマットや布団への汚れ防止のために敷くディスポシーツが、ずれて動いてしまうのを防ぐ為のものである。
【背景技術】
【０００２】従来、ディスポシーツは、ただ置いて敷くだけのものであった。
【先行技術文献】
【特許文献】
【０００３】
【特許文献１】
【氏名又は名称】
【発明の概要】
【発明が解決しようとする課題】
【０００４】  従来、ディスポシーツは使い捨てのため、価格重視となりシーツ面積が小さいものが多く、ただ置いて敷くだけのものであった為、寝返りや寝相でディスポシーツがずれて動いてしまい、ディスポシーツを敷いたにもかかわらず、ベットマットや布団への汚れ防止の役割を果たせない場合が多かった。
本発明は、以上のような欠点をなくすためになされたものである。
【課題を解決するための手段】
【０００５】  ディスポシーツのベース部分である防水シート部分の大きさを横方向へ長く大きくし、ベットマットや布団の下に巻き込めるようにした。さらに、大きくしたベース部分の防水シート両端に穴をあけ、フック付きゴムロープで引き寄せてディスポシーツがズレて動かないようにした。
【発明の効果】
【０００６】  ディスポシーツのベース部分である防水シート部分の大きさを大きくし、ベットマットや布団の下に巻き込めるようにしたことにより挟み込んだ分ディスポシーツが動きにくくなった。よりしっかりシーツを固定したい場合は、防水シート部の両端にあけた穴にフック付きゴムロープで引っ掛けて両側を引きよせてベットマットや布団に巻きつけて固定できるようになった。その時の使用状況に合わせて選択できるようになっている。
【図面の簡単な説明】
【０００７】
【図１】  本発明の平面図である。
【図２】  本発明の斜視図である。
【発明を実施するための形態】
【０００８】  以下、本発明を実施するための形態について説明する。
ディスポシーツの構成部分としてベース部分（ベットマット、布団と直接に接する部分）である防水シート部分（１）と、吸水部分にあたる吸水シート（２）（防水シートの上に接着される部分）の２点に分かれる。そのベース部分である防水シートの大きさを横方向へ長く大きくし、ベットマットや布団の下に巻き込めるようにした。さらに、大きくしたベースの防水シート両端に穴（３）をあけフック付きゴムロープ（４）で両端を引き寄せられるようにもした。このディスポシーツをベットマット、布団に対して垂直方向に置き、長くはみ出ている防水シートをベットマット、布団の下部に敷き込む。敷き込んだ部分でおさえてもまだディスポシーツが動くことが不安な場合は敷き込んだ防水シート部分の端についている穴にフックを引っ掛けてディスポシーツ左右の端をベットマット、布団に巻きつけるように固定することができる。
【符号の説明】
【０００９】  １    防水シート
２    吸水シート
３    穴
４    フック付きゴムロープ
【図１】
2020171644.tif 000003
【図２】
2020171644.tif 000004
(57)【要約】      （修正有）【課題】洗濯物を下に引っ張ることで容易に取り外しができ、わずかな力で洗濯物を干したり取り外したりすることが容易にできる洗濯はさみを提供する。【解決手段】洗濯はさみの上部にＶ字形のキックバネを使用することで洗濯はさみの左右の連結部、ハンドル上部バネ取付部右側、ハンドル上部バネ取付部左側、バネ支点の４箇所の各支点で構成し、洗濯物を下に引っ張ることで洗濯はさみ開閉部を開かせ洗濯物を取り外しやすくする。【選択図】図４
2020171655.tif 000002
【特許請求の範囲】
【請求項１】
洗濯はさみの上部にＶ字形のキックバネを使用することで
洗濯はさみの左右の連結部、ハンドル上部バネ取付部右側、
ハンドル上部バネ取付部左側、バネ支点の４箇所の各点で
菱形状を構成し、その菱形を歪めることにより
洗濯はさみ開閉部を開かせることが特徴の洗濯はさみ。
４箇所の各支点は菱形をスムーズに歪めるため回転状に可動することが望ましい。
すなわち洗濯物を下に引っ張ることでスムーズに菱形を歪め、洗濯はさみ開閉部を開かせ洗濯物を取り外しやすくすることが特徴の洗濯はさみ。
【請求項２】
洗濯はさみ上部にＶ字形のキックバネを使用することで
手のひら全体で請求項１の菱形を握つても歪めることができ、
高齢者や非力な者でもわずかな力で洗濯はさみの開閉が可能となり、
洗濯物を干したり取り外したりすることが容易にできることが特徴の洗濯はさみ。
【発明の詳細な説明】
【技術分野】
【０００１】本発明は洗濯はさみに吊るされた洗濯物を容易に取り外す
洗濯はさみの構造、非力でも容易に吊せる洗濯はさみの構造に関する。
【背景技術】
【０００２】Ｖ字形洗濯ピンチの左右の開閉操作部上端を横長の短形枠で囲み
洗濯物を下方に引き短形枠の形状の変化により洗濯ピンチを開口させ
洗濯物を取り外す洗濯ピンチの開閉補助具がある。
【先行技術文献】
【０００３】
【特許文献】
【特許文献】特開２００９−８２６７９号広報
【発明の概要】
【発明が解決しようとする課題】
【０００４】洗濯に関しての不便、例えば洗濯物の取り込みに関して
一つづつ洗濯はさみを外す手間や
高齢者や非力な者が一つづつ洗濯はさみを指先に力を入れて
洗濯物を干したり、取り込んだりすることに難点がある。
【課題を解決するための手段】
【０００５】本発明は洗濯はさみの上部にＶ字形のキックバネを使用することで
洗濯はさみの左右の連結部、ハンドル上部バネ取付部右側、
ハンドル上部バネ取付部左側、バネ支点の４箇所の各支点が構成する
菱形を歪めること、すなわち洗濯物を下に引っ張ることで洗濯はさみ開閉部を
開かせ洗濯物を取り外しやすくなりすることで課題を解決手段とする。【０００６】本発明は洗濯はさみの上部にＶ字形のキックバネを使用することで
洗濯はさみの左右の連結部、ハンドル上部バネ取付部右側、
ハンドル上部バネ取付部左側、バネ支点の４箇所の各支点が構成する
菱形を歪めること、すなわち手のひら全体で菱形を握つて歪める
ことで高齢者や非力な者でもわずかな力で洗濯はさみの開閉が容易になることで課題を解決手段とする。
【発明の効果】
【０００７】洗濯物を下に引っ張るだけで洗濯はさみ開閉部を開かせ洗濯物を取り外しやすくすることができた。【０００８】高齢者や非力な者でも手のひらで洗濯はさみハンドル部を握つて開閉部を
開かせて容易に洗濯物を干したり取り外したりすることができた。
【図面の簡単な説明】
【図面の簡単な説明】
【０００９】
【図１】菱形構造の洗濯はさみ仕組図
【図２】洗濯物を下に引張った時の仕組図
【図３】ハンドル部を握った時の仕組図
【図４】菱形構造の洗濯はさみ姿図
【符号の説明】
【００１０】０１  キックバネ支点
０２  バネ取付部左側支点
０３  バネ取付部右側支点
０４  洗濯はさみ左右連結部支点
０５  キックバネ
０６  開閉口
０７  洗濯はさみ本体
０８  ４箇所の支点で構成する菱形
０９  キックバネ作用
１０  開閉部が閉じる
１１  洗濯物を下に引張る
１２  開閉部が開く
１３  ハンドル部を握る
【図１】
2020171655.tif 000003
【図２】
2020171655.tif 000004
【図３】
2020171655.tif 000005
【図４】
2020171655.tif 000006
(57)【要約】【課題】一般的な金属網受け皿油切りではない、洗い物を軽減できる油切り皿を提供する。【解決手段】各上部折り曲げ部２と各下部折り曲げ部３でジャバラ状になり効率良く油切りができる。また厚紙を使用し使い捨てにする事により、洗い物作業を軽減できる。【選択図】図１
2020171663.tif 000002
【特許請求の範囲】
【請求項１】
全ての折り曲げ角度が同じ、上部折り曲げ部（２）と下部折り曲げ部（３）を有し、その間に吸い取り部（４）を有するボール紙使用、ジャバラ型が特徴の油切り受け皿。
【請求項２】
各上部（２）と各下部（３）全てを折り曲げる事により、各上部（２）の折り曲げ部の上に揚げ物を置いた時、余分な揚げ油が吸い取り部（４）に落ちる請求項１に記載の受け皿。
【発明の詳細な説明】
【技術分野】
【０００１】  本発明は、食材を揚げた直後、効率良く油切りに関する
【背景技術】
【０００２】  一般的に揚げ物の油切り作業は、金属網と受け皿が使用されているが、使用後に洗う作業が面倒だという声が多く、近年では揚げ物料理は店で購入する又は外食する人が増加傾向にある。本発明は各上下部（２、３）を折り曲げジャバラ型になり、効率良く揚げ物作業ができる。
【先行技術文献】
【特許文献】
【０００３】
【特許文献１】
【非特許文献】
【０００４】
【非特許文献１】
【発明の概要】
【発明が解決しようとする課題】
【０００５】  ０００２で示したように一般的な受け皿は油切り効果はあるものの、後片付け作業が面倒である。
【課題を解決するための手段】
【０００６】  吸収力がある厚紙を各上下部に折り曲げ部を作りジャバラ型にし、油切りを効率良くする。一般的な金属網受け皿と違い、使い捨てのため、衛生的であり、また洗う作業が省け、エコにつながる。
【発明の効果】
【０００７】  油を効率良く切るだけではなく、後片付けの洗う作業が省け、光熱費、洗剤の節約になりエコにつながる。【０００８】  また厚紙本体のジャバラ型の特徴を活かし、本体の複数の端を重ねて連結させ、大きい受け皿としても使用できる。本体を複数上に重ねて強度を上げ、揚げ物鍋の中の揚げカスを乗せて捨てる事もできる。【０００９】  また、イベント等に使用する場合、厚紙本体受け皿の上に揚げ物料理を乗せたまま出す事もでき、油切りと盛り付けが同時にできるという利点がある。
【図面の簡単な説明】
【０００１０】
【図１】本発明に係る油切り受け皿の側面図である。
【図２】油切り受け皿の詳細を示す断面図である。
【発明を実施するための形態】
【０００１１】  図１、図２は本発明にある油切り皿の実施を示す。
【実施例】
【０００１２】  図１、厚紙本体の２全ての上部折り曲げ部と、３全ての折り曲げ部の折り曲げ角度が同じな為、２全てと３全ての折り曲げ部の間隔は同じである。
【産業上の利用可能性】
【０００１３】  本発明は主に一般家庭向けに提案したものではあるが外食産業、学校給食作り、病院食作りにも利用可能である。
【符号の説明】
【０００１４】１、厚紙本体
２、上部折り曲げ部
３  下部折り曲げ部
４  吸い取り部
【図１】
2020171663.tif 000003
【図２】
2020171663.tif 000004